(57)【要約】【課題】紙型繊維質材料製の支持体（１２）上のアンテナ（１８）、支持体の各側にあってそれぞれが流れ温度の低いプラスチック層少なくも一層を含むカード本体２枚、及びアンテナに接続されたチップを含む電子モジュール（２６）を含み、アンテナ支持体と２枚のカード本体とにより形成される組立体が加圧下においてホットラミにより溶着されるスマートカードを提供する。【解決手段】繊維質材料の支持体は、カード本体のプラスチック層（２３、２５）が積層間に緊密な接触を促進するよう、少なくも１つの窪み（１４、１６）を含み、この窪みはカード本体間の溶着継ぎ目を形成し、それによりモジュールの強度を強化する。【選択図】図１
2005503620.tif 000002
【特許請求の範囲】
【請求項１】
紙型繊維質材料製の支持体（１２又は３８）上のアンテナ（１８又は４２）と、前記支持体の各側にあってそれぞれが低い流れ温度のプラスチック材料層少なくも一層を含むカード本体２枚と、アンテナに接続されるチップを備える電子モジュール（２６又は４０）とを含み、アンテナ支持体と２枚のカード本体とにより形成される組立体が加圧下においてホットラミにより共に溶着され、
前記繊維質材料製の支持体が、前記カード本体のプラスチック層（２３、２５又は５４、５８）が積層工程中に前記開口部を通してほぼ完全な接触をするように少なくも１つの開口部（１４、１６又は４８、５０）を備え、こうして満たされた前記開口部がカード本体の間に溶着点を形成し、それによりモジュールの接続を強化することを特徴とするスマートカード。
【請求項２】
前記開口部（１４、１６）の外側輪郭が、接着点（３４、３６）の外側輪郭と同一形状を有する請求項１に記載のスマートカード。
【請求項３】
前記電子モジュール（２６）のチップが、前記アンテナ支持体（１２）の上の２つの接点（１１、１３）によりアンテナに接続され、アンテナ支持体が前記接点の各側に２つの開口部を備える請求項２に記載のスマートカード。
【請求項４】
前記２つの開口部（１４、１６）の形状が全く同一で、接点（１１、１３）に対し対称である請求項３に記載のスマートカード。
【請求項５】
前記開口部（１４、１６）の形状が円形である請求項４に記載のスマートカード。
【請求項６】
前記電子モジュール（４０）が、加圧下においてホットラミの前にアンテナ支持体の空洞に配置され、非導電性接着剤（６０）の層を用いて前記カード本体（５４）の１つに固定される請求項１に記載のスマートカード。
【請求項７】
前記電子モジュール（４０）のチップが、導電性接着剤を用いることなく単純なオーム接触により２つの接点（６２、６４）を用いて前記アンテナ（４２）に接続され、前記オーム接触が、ホットラミ後に溶着点を形成する前記開口部（４８、５０）を通してほぼ完全に接触している前記カード本体（５４、５８）の層の間に圧力により形成される請求項６に記載のスマートカード。
【請求項８】
前記アンテナ支持体（３８）が、前記電子モジュール（４０）の各側に配置される２つの開口部（４８、５０）を備える請求項６又は７に記載のスマートカード。
【請求項９】
前記開口部（４８、５０）が、前記電子モジュール（４０）に対し対称である請求項８に記載のスマートカード。
【発明の詳細な説明】
【０００１】
【発明の属する技術分野】
本発明は、非接触又は接触型・非接触型共用ハイブリッド型スマートカードに関し、特に電子モジュールの強化接続を有するこの型のスマートカードに関わる。
【０００２】
【従来の技術】
非接触型スマートカードは、各種分野での用途が次第に増えているシステムである。例えば、運輸・交通分野では、アクセス手段として発展してきた。電子財布についても同様である。多くの企業はまた、非接触型スマートカードを利用した社員証システムを発達させた。
【０００３】
非接触カードと関連読取装置との間の情報交換は、カードに収容されたアンテナと読取装置に配置された第２アンテナとの間の遠隔電磁結合を用いて実現される。情報の展開、記憶及び処理のため、カード内で支持体の上にチップが配置されており、スクリーン印刷のアンテナがそれに接続されている。
接触型・非接触型共用ハイブリッド型スマートカードは、また従来型のスマートカード、又は非接触型スマートカードとして機能することができる。
これらのカードは、チップ及び、片面がカード本体の一面と同一平面になった接触面を有する両面回路を含む電子モジュールを備えている。
【０００４】
ハイブリッド型又は非接触型スマートカードには、幾多の製造工程がある。第１の型のカードは、モノブロックカードで、ここではアンテナ支持体が、カード本体の上下層を形作るプラスチック材料（ＰＶＣ、ＰＥＴ、ＰＣ、アクリロニトリル−ブタジエン−スチレン（ＡＢＳ）．．．）製の２層の間に挿入され、次いで加圧下においてホットラミにより接合される。モジュールは、オーム接触を確立することができる導電性接着剤又は同等品を用いてアンテナに接続される。
【０００５】
この型のカードは、全体の剛性が強いことを特徴とする。その結果、カードに機械的な曲げ及び／又は捩れの力が加わったとき、力が直接チップに対し、主としてチップ／アンテナ又はモジュール／アンテナを接続する接合点に、伝達される。故意に又は偶然に加わるこれらの力により、カードに痕跡を残すことなく接続が損なわれ、カードの誤作動を生じることがある。
【０００６】
この特性は、ハイブリッド又は非接触型スマートカードの重大な欠陥であることは明らかである。事実、不正なユーザが、故意に曲げて、カードを出来るだけ綺麗に壊してしまうことは比較的容易である。カードがクレジット付き（テレフォンカード、公共交通カード、高速道路料金カード）で売られ、このクレジットが使用済み又は殆ど使用済みであるとき、後で詐欺の立証が出来ないように、個人がこのカードを交換したり又はカード発行会社に補償させたりすることが出来る。
【０００７】
このような極だった欠点を補うため、アンテナを紙型繊維質材料上にスクリーン印刷すること及び、それを少なくも一層のプラスチック材料で作られた２つのカード本体の間に配置することが考慮された。加圧下においてホットラミのステップにより、各種の層を互いに溶着し、カード本体の１つの流動化ＰＶＣにアンテナのスクリーン印刷インキを捕捉させることが出来る。
【０００８】
紙製支持体の長所は、曲げられたとき、前記曲げにより力が生じる場所で離層する能力を、カードが持つことである。これは、カードに曲げの痕跡を残すので、どのような意図的な損傷行為も帰納的に明らかとなる。
【０００９】
しかし、この型のカードには、モジュールの電気接続が弱いという短所がある。実際、紙製アンテナ支持体が、カードの曲がりを「記憶」するという利点を示すならば、カードの内部の粘着力が不足して、モジュールをカード上に保持する接着接合下部及びカード本体の薄い部分を何度も曲げた後、カードが薄い層に裂け易くなり、それにより電子モジュールとアンテナとの積層のはがれをもたらす。
【００１０】
【発明の解決しようとする課題】
これは、本発明の目的が、強く曲げた場合の断線と引き出しに耐えるため、モジュール接続の強化を備えた繊維性紙型材料製アンテナ支持体を有するハイブリッド型又は非接触型スマートカードを提供することであるという理由である。
【００１１】
本発明の別の目的は、導電性接着剤を用いずチップとアンテナとの間を単に接触させるだけで、電子モジュールの接続を強化した非接触型スマートカードを提供することである。
【００１２】
【課題を解決するための手段】
従って本発明の対象は、繊維質紙型材料製の支持体上のアンテナ、各々が比較的低い流れ温度を有するプラスチック材料の少なくも一層を含む支持体各側にある２つのカード本体、及びアンテナに接続されたチップを備えた電子モジュール、を含み、アンテナ支持体と２つのカード本体とが形作る組立体が、圧力下でホットラミにより共に溶着された、非接触又は接触型・非接触型共用ハイブリッド型スマートカードである。繊維質材料製の支持体は、積層作業中にカード本体のプラスチック層が開口部によりほぼ完全に接触するように少なくも１つの開口部を含み、、こうして満たされた開口部はカード本体の間の溶着を形成してモジュールの接続を強化する。
本発明の目的、対象及び特徴は、添付図面との関連で取り上げたとき、以下の記述から明らかになるであろう。
【００１３】
【発明の実施の形態】
接触型・非接触型共用ハイブリッド型スマートカードは、電子チップ及び、片面がカードの一面と同一平面になった両面回路１０を含む電子モジュールを備える。一般的に繊維質材料１２で作られた支持体上にスクリーン印刷されたカードのアンテナは、導電性インキで作られた多数の巻線１８及び、チップに、したがって電子モジュールに、接続されるべき２つの接点１１と１３を含む。アンテナ支持体は、２つの開口部１４と１６を備える。これは、アンテナのスクリーン印刷作業の後に作るのが好ましい。開口部の形状と位置は、以下の記述において詳細を説明する。
【００１４】
図１に示したカードの一部のＡ−Ａ軸に沿う断面図を示す図２にしたがうと、カードは、その厚さ全体に渡って幾つかの層を含んでおり、アンテナ支持体１２は、層２２と２３が作る下側カード本体と、層２４と２５が作る上側カード本体との間に挿入されている。上下のカード本体は、ポリ塩化ビニール（ＰＶＣ）又はポリエステル（ＰＥＴ、ＰＥＴＧ）又はポリカーボネート（ＰＣ）型又はアクリロニトリル−ブタジエン−スチレン（ＡＢＳ）などのプラスチック材料で作る。好適実施例によれば、カード本体はＰＶＣ製で、それぞれ硬ＰＶＣの外側層２２又は２４と、内側の軟ＰＶＣ層２３又は２５から作られている。アンテナと接触する軟ＰＶＣ層を作るＰＶＣのビカー点（ＰＶＣが硬い状態からゴム状態に変わる温度）は、硬ＰＶＣ層を作る層のビカー点より低い。
【００１５】
カード層の組立体は、規定温度において圧力を加えたホットラミ処理を用いておこなう。熱と圧力の複合作用の下で、外側ＰＶＣのみが軟化する一方で、ビカー点の低いＰＶＣで作られた内側層は流動化する。層２５の流動化ＰＶＣは、アンテナを塊の中に捕捉し、アンテナ支持体１２の中に予め形成した開口部１４と１６を通して層２３の流動化ＰＶＣとほぼ完全な接触をする。これにより、２つの内側層２３と２５のほぼ完全な接触を介して上下のカード本体の間に２つの溶着点が作成される。
【００１６】
カードを作る各種層を組み立てた後、電子チップ２６と両面回路１０で編成された電子モジュールを収容するため、一般的にはフライス作業により、カードに空洞を開ける。空洞の形は、チップ２６を受ける構造の小さい中央部分と、両面回路を受けるためカード本体の層２２の厚さ部分に作られた大きい外側部分を含むようにする。
【００１７】
電子モジュールを空洞に挿入して空洞の大きい部分に接合して固定する。このような方法で、電子モジュールの両面回路とカード本体の外側層２２とが、シアノアクリレート系接着剤３４と３６の２つの場所で共に連結され、アンテナ支持体１２に予め作られた開口部１４と１６を覆って配置される。接着剤３４と３６の場所は、こうしてカード本体２２の厚さが最も薄い場所になるので、ＰＶＣで満たされて上下のカード本体の間の２つの溶着点を形作る開口部１４と１６の位置に配置され、それにより、モジュールの支持体上への接続を強化する。
【００１８】
アンテナ接点１１と１３に対するチップの接続は、導電性接着剤の使用により確実になる。これは図には示さないが、電子モジュールをその空洞内に置く前に付着する。
【００１９】
図３によると、開口部１４と１６のアンテナ支持体上の位置は、接点１１と１３の各側で、好適にはカード上に接着する予定で図に示した両面回路１０の面３０の中央に置く。しかし開口部は、図に示した位置から少しずれても、電子モジュールの面３０上に重畳している間は、本発明の範囲を逸脱しない。あらゆる場合に、開口部の幅は、広過ぎてはならない。この観点から、開口部の表面積は、カード本体の積層作業中に開口部が層２３と２５の流動化ＰＶＣで完全に満たされるよう、接着すべきモジュールの面３０の表面積を超えてはならない。
【００２０】
電子モジュールを接点１１と１３の各側に対称的に配置するので、開口部１４と１６は、接点１１と１３に対し対称的であるのが好ましく、形状も対称的であるのが好ましい。加えて、カードへのモジュールの接続を改善するため、開口部１４と１６の外側輪郭を接着点３４と３６の外側輪郭と出来るだけ一致させる。
【００２１】
本発明を非接触型スマートカードに適用するときは、アンテナ支持体３８を図４に示す形にする。前に示したように、電子モジュール４０は、支持体３８の上にスクリーン印刷されたアンテナ４２に、２つの接点４４と４６を用いて接続する。アンテナ支持体にはまた、２つの開口部４８と５０がある。これはアンテナのスクリーン印刷作業後に作るのが好ましい。
【００２２】
図４に示すカードのＢ−Ｂ軸に沿う断面図を表す図５によると、非接触型カードは幾つかの層を含む。好適実施例においてアンテナ支持体３８は、層５２と５４で作られた下側カード本体と層５６と５８で作られた上側カード本体との間に挿入される。前の場合と同様に、カード本体はＰＶＣ、ポリエステル、ポリカーボネート又はアクリロニトリル−ブタジエン−スチレン（ＡＢＳ）で作られる。上述のように、ＰＶＣで作るのが好ましい外側層５２、５８の各々は硬い一方で、内側層５４、５８の各々は軟ＰＶＣで作るのが好ましい。アンテナ支持体３８と接触するこれらの層のビカー点は、硬ＰＶＣで作られた外側層のビカー点よりも低い。図で分かるように、外側層が一般的に内側層より厚いハイブリッドカードと対照的に、外側層は内側層より薄い。
【００２３】
電子モジュール４０は、支持体３８の開口部の中に配置され、接着剤６０を用いて下側カード本体の層５４に固定される。チップの接点（示さず）は、こうしてアンテナ接点６２と６４に接触する。オーム接続は、導電性接着剤を用いるか又は、接着剤を用いないで下記に説明するように単なる接触により作成される。
【００２４】
支持体のＣ−Ｃ軸に沿う断面を検討すると、図６に示すように、２つの開口部４８と５０が、アンテナ支持体３８の中でモジュール４０の各側に置かれているのが分かる。
【００２５】
上述のように、層はホットラミ処理を用い圧力を掛けて組み立てられる。熱と圧力の複合作用の下で、ＰＶＣの外側層５２又は５６は軟化する一方で、内側層５４又は５８は流動化する。層５８の流動化ＰＶＣがアンテナ全体を捕捉し、開口部４８と５０を通して層５４の流動化ＰＶＣとほぼ完全な接触に入る。これは、２つの内側層５４と５６のほぼ完全な接触により、上下のカード本体の間に２つの溶着点を作る。
【００２６】
接触型・非接触型ハイブリッド型スマートカードの電子モジュールと異なり、非接触型カードの電子モジュールは、カードの本体２つの間に捕捉される。上に示したような、開口部４８と５０を通して２層の溶着点を作ることの出来るホットラム処理のため、アンテナの接点６２と６４上にモジュールが加える圧力は、積層ステップの後にも維持される。この圧力はしたがって、チップ接点とアンテナ接点との間に導電性接着剤層を作ることを必要としないで、チップとアンテナとの間のオーム接触を起こさせることが出来る。
【００２７】
前のように、開口部は、モジュールの接続が強化されるよう、モジュールからあまり遠くすることなく幾分かの距離を置く。開口部のサイズは、カード本体の２つの内側層の間を確実に強く結合するよう小さ過ぎてはいけない。この開口部は、モジュールに対し対称的に置くのが好ましく、同じ形状であるのが好ましい。図４と６に示した実施例では、開口部の形状は円形であるが、本発明の範囲を逸脱することなく、任意の形状を用いることができる。
【００２８】
非接触型カード用であろうとハイブリッドカード用であろうと、幾つかの理由で、開口部の隅は鋭くてはいけない。開口部に鋭い隅がないと、切り込み作業が容易になる。実際、鋭い隅を持つ開口部を切り込む際には、除去する筈の紙が支持体上に残る場所が出来るが、隅を丸めた開口部で、このような問題が起こることはない。加えて、カード本体を無地で印刷するとき、切り込みが積層作業中に露光され、開口部の上にあるインクドットが互いに近づくため、開口部の位置で濃い色を生じる。その結果、透明なＰＶＣを通して見た丸みのある形の方が、鋭い角より美しく見える。
【００２９】
上述のように、接続を強化するためには、モジュールの各側に２つの開口部があるのが好ましいけれども、本発明の範囲を逸脱することなく、唯一の開口部、又は２つ以上の開口部を持たせることも出来る。
【図面の簡単な説明】
【図１】
本発明に記載の接触型−非接触型共用ハイブリッドスマートカードのアンテナ支持体を示す図。
【図２】
図１に示すスマートカードのＡ−Ａ軸に沿う断面図。
【図３】
図１に示すカードに関する開口部及びアンテナ支持体内におけるモジュールの位置の正面図。
【図４】
本発明に記載の非接触型スマートカードのアンテナ支持体を示す図。
【図５】
図４に示すスマートカードのＢ−Ｂ軸に沿う断面図。
【図６】
図４に示すスマートカードのＣ−Ｃ軸に沿う断面図。
【国際公開パンフレット】
2005503620.tif 000003
2005503620.tif 000004
2005503620.tif 000005
2005503620.tif 000006
2005503620.tif 000007
2005503620.tif 000008
2005503620.tif 000009
2005503620.tif 000010
2005503620.tif 000011
2005503620.tif 000012
2005503620.tif 000013
2005503620.tif 000014
2005503620.tif 000015
2005503620.tif 000016
2005503620.tif 000017
2005503620.tif 000018
【国際調査報告】
2005503620.tif 000019
2005503620.tif 000020
2005503620.tif 000021
2005503620.tif 000022